(57)【要約】【課題】万一ワイヤロープから電柱がすり抜けそうになったときでも電柱の脱落を防止できると共に電柱の破損を防止でき、既設架線その他周辺設備に損傷を与えるのを防ぐことができる電柱玉掛けストッパーを提供する。【解決手段】足場ボルトを取り付けるためのネジ穴５を有する電柱２にワイヤロープ３などの索を巻き掛け、索で電柱２を吊り上げるとき、上記索から電柱２が抜け落ちるのを防ぐべく電柱２に取り付ける電柱玉掛けストッパー１において、アーチ状に形成され、電柱２に巻いた索を跨ぐように電柱２の外周面に両端を当接するアーチ部４と、アーチ部４を電柱２に締結すべくネジ穴５に螺合される取付ボルト６とを備えたものである。【選択図】図２
0003121512.tif 000002
【実用新案登録請求の範囲】
【請求項１】
足場ボルトを取り付けるためのネジ穴を有する電柱にワイヤロープなどの索を巻き掛け、該索で電柱を吊り上げるとき、上記索から電柱が抜け落ちるのを防ぐべく電柱に取り付ける電柱玉掛けストッパーにおいて、アーチ状に形成され、電柱に巻いた索を跨ぐように電柱の外周面に両端を当接するアーチ部と、該アーチ部を上記電柱に締結すべく上記ネジ穴に螺合される取付ボルトとを備えたことを特徴とする電柱玉掛けストッパー。
【請求項２】
上記アーチ部の両端に電柱の外周面に沿って湾曲する取付基部を形成した請求項１記載の電柱玉掛けストッパー。
【請求項３】
上記一方の取付基部に上記取付ボルトを回転自在に取り付けた請求項２記載の電柱玉掛けストッパー。
【請求項４】
上記アーチ部の端部に、接触した既設架線を逃がすための傾斜を形成した請求項１〜３のいずれかに記載の電柱玉掛けストッパー。
【請求項５】
上記アーチ部を一対連結し、これらアーチ部間の取付基部に上記取付ボルトを回転自在に取り付けた請求項１〜４のいずれかに記載の電柱玉掛けストッパー。
【請求項６】
上記アーチ部間に、既設架線の進入を防ぐためのガイド部を上記取付ボルトを覆うように設けた請求項５記載の電柱玉掛けストッパー。
【考案の詳細な説明】
【技術分野】
【０００１】
本考案は、ワイヤーロープ等で電柱を吊り上げるとき、ワイヤーロープ等から電柱が抜け落ちるのを防ぐべく電柱に取り付ける電柱玉掛けストッパーに関する。
【背景技術】
【０００２】
図６及び図７に示すように、電柱２を新設したり撤去する場合、電柱２にワイヤーロープ３を巻き掛け、ワイヤーロープ３をクレーン車１８等で引き上げることで電柱２を吊り上げている。このとき、電柱２は上側を細くするように円錐柱状に形成されているため、特に電柱２の吊り上げに適したワイヤロープ３の巻き方を選定して用いている。
【０００３】
具体的なワイヤロープ３の巻き方、すなわち、玉掛け方法としては、両端に輪を有する玉掛け用ロープを用いて行う二つ折り・くくり吊り・一点吊り（図７参照）や、目通し一点吊り（図示せず）が一般的である。これらの玉掛け方法によれば電柱２を安全に吊り上げることができる。
【考案の開示】
【考案が解決しようとする課題】
【０００４】
ところで、玉掛け作業は現地にて人間が行うものであり、作業ミス、確認ミスは発生しうるものであるため、二重、三重の安全対策を行うことが望ましい。このため、電柱２の玉掛け位置に臨んで足場ボルト２０を取り付けたり、足場ボルト２０の形状を若干変更したすり抜け防止用ボルト（図示せず）を取り付けたりすることで、電柱２のすり抜け防止を図っていた。
【０００５】
しかしながら、電柱２は最大で２．９ｔもの重量があり、足場ボルト２０を取り付ける電柱２のネジ穴５は人間の体重を安全に支えられる程度の強度（約５００ｋｇ）に設計されているため、電柱落下時に足場ボルト２０がワイヤロープ３に掛かっても電柱２が破損して電柱２の脱落を防止できない場合があるという課題があった。
【０００６】
また、既設架線１３が張り巡らされた場所では既設架線１３の上を越して既設架線１３間に電柱２を降ろし、建てなければならない場合もあるが、既設架線１３間に電柱２を足場ボルト２０を取り付けた状態で降ろすと、足場ボルト２０が既設架線１３に引っ掛かり易く作業の邪魔となるという課題があった。
【０００７】
そこで、本考案の目的は、上記課題を解決し、万一ワイヤロープから電柱がすり抜けそうになったときでも電柱の脱落を防止できると共に電柱の破損を防止でき、既設架線に引っ掛かるのを防ぐことができる電柱玉掛けストッパーを提供することにある。
【課題を解決するための手段】
【０００８】
上記課題を解決するために本考案は、足場ボルトを取り付けるためのネジ穴を有する電柱にワイヤロープなどの索を巻き掛け、該索で電柱を吊り上げるとき、上記索から電柱が抜け落ちるのを防ぐべく電柱に取り付ける電柱玉掛けストッパーにおいて、アーチ状に形成され、電柱に巻いた索を跨ぐように電柱の外周面に両端を当接するアーチ部と、該アーチ部を上記電柱に締結すべく上記ネジ穴に螺合される取付ボルトとを備えたものである。
【０００９】
上記アーチ部の両端に電柱の外周面に沿って湾曲する取付基部を形成するとよい。
【００１０】
上記一方の取付基部に上記取付ボルトを回転自在に取り付けるとよい。
【００１１】
また、上記アーチ部の端部に、接触した既設架線を逃がすための傾斜を形成するとよい。
【００１２】
上記アーチ部を一対連結し、これらアーチ部間の取付基部に上記取付ボルトを回転自在に取り付けるとよい。
【００１３】
また、上記アーチ部間に、既設架線の進入を防ぐためのガイド部を上記取付ボルトを覆うように設けるとよい。
【考案の効果】
【００１４】
本考案によれば、万一ワイヤロープから電柱がすり抜けそうになったときでも電柱の脱落を防止できると共に電柱の破損を防止でき、既設架線に引っ掛かるのを防ぐことができる。
【考案を実施するための最良の形態】
【００１５】
本考案の好適実施の形態を添付図面を用いて説明する。
【００１６】
図１及び図２に示すように、電柱玉掛けストッパー１は、アーチ状に形成され、電柱２に巻いたワイヤロープ３を跨ぐように電柱２の外周面に両端を当接するアーチ部４と、アーチ部４を電柱２に締結すべく足場ボルト用のネジ穴５に螺合される取付ボルト６とを備えて構成されている。
【００１７】
アーチ部４は、両端に形成され電柱２に締結されたときに電柱２から径方向外方に延びる脚部７、８と、脚部７、８の延出端間に設けられ電柱２と平行に延びる平行部９とからなり、それぞれ断面矩形状に形成されている。また、アーチ部４は、両端間の長さを電柱２に複数条巻かれたワイヤロープ３を一括して跨げる程度に長く形成されており、長手方向に一対連結されている。それぞれのアーチ部４の両端には、電柱２の外周面に沿って湾曲する取付基部１０、１１が形成されており、電柱２の外周面にそれぞれ密着するようになっている。取付基部１０、１１は、アーチ部４同士が連結される連結端に形成された第１取付基部１０と、それぞれのアーチ部４の自由端に形成された第２取付基部１１とからなる。
【００１８】
図３、図４及び図５に示すように、第１取付基部１０は、アーチ部４の連結端を電柱２の長手方向に沿って延ばすように略長円板状に形成されており、長円の中心にその厚さ方向に貫通する貫通孔１２を有する。貫通孔１２には、取付ボルト６が回転自在に挿通して取り付けられるようになっている。また、第１取付基部１０は、第２取付基部１１より電柱２に接触する面積を広く形成されると共に厚く形成されており、電柱２に取付ボルト６を締め付けたときに電柱２の外周面に安定して圧着されるようになっている。また、第１取付基部１０に形成されるアーチ部４の内周面は、電柱２の外周面に対して略直角となるように形成されると共に、湾曲して形成されており、ワイヤロープ３に当たったときにワイヤロープ３を傷つけることなく受けるようになっている。
【００１９】
第２取付基部１１は、第１取付基部１０より電柱２の周方向に長い略矩形板状に形成されており、第１取付基部１０と同様に電柱２の外周面に広い面積で圧着されるようになっていると共に、取付ボルト６を中心として回動しようとする力を受けたとき、これに反して電柱２に対するアーチ部４の姿勢を保つようになっている。第２取付基部１１の正面側の縁部は角を丸めて形成されており、既設架線１３に当たったときにその既設架線１３を傷つけないようになっている。
【００２０】
また、アーチ部４の自由端側の端部１４には、接触した既設架線１３を電柱２の径方向外方に逃がすための傾斜が形成されている。具体的には、傾斜は脚部７を電柱２の表面に対して略４５度傾けることで形成されている。
【００２１】
また、それぞれのアーチ部４間には、既設架線１３の進入を防ぐためのガイド部１５が取付ボルト６を覆うように設けられている。具体的には、ガイド部１５は、外側の面をアーチ部４の平行部９と面一にするように設けられており、既設架線１３に接触したとき、既設架線１３をアーチ部４間に進入させることなく隣接するアーチ部４の平行部９に案内するようになっている。
【００２２】
取付ボルト６は、足場ボルトと同径かつ同ピッチに形成されており、頭１６を第１取付基部１０とガイド部１５との間に位置させて第１取付基部１０の貫通孔１２に挿通されている。また、取付ボルト６の頭１６と第１取付基部１０との間にはワッシャ１７が介在されている。
【００２３】
次に本実施の形態の作用を述べる。
【００２４】
図１に示すように、地上に横倒しにされた電柱２を所定の位置に建てるべく吊り上げる場合、まず電柱２に二つ折り・くくり吊り・一点吊りにてワイヤロープ３を巻き掛ける。このとき、ワイヤロープ３の巻き掛け位置は従来と同様であり、吊り上げたときに電柱２の根本が下となるように重心よりも頭部側でかつ、足場ボルト用のネジ穴５の根本側に臨む位置に玉掛けする。また、電柱２は、予め足場ボルト用のネジ穴５を側方又は下方に向けるように姿勢を決めておき、後でネジ穴５に電柱玉掛けストッパー１を取り付けられるようにしておく。この後、電柱玉掛けストッパー１を電柱２の軸と平行にしつつネジ穴５に取付ボルト６を螺合させ、強固に締結する。電柱２に巻かれた複数条のワイヤロープ３を一括してアーチ部４で囲うことができ、ワイヤロープ３の移動を規制できる。
【００２５】
ワイヤロープ３をクレーン車１８（図６参照）のフック１９に掛け、クレーン車１８で引き上げると、ワイヤロープ３が電柱２を締め付けて電柱２に固定され、電柱２が頭部側を上にして吊り上げられる。このとき、玉掛けが適正になされており、電柱２が突風や振動等の外力を受けない通常の状態であれば、ワイヤロープ３はその締め付け力で電柱２に固定され、電柱玉掛けストッパー１がワイヤロープ３から力を受けることはない。しかしながら、万一ワイヤロープ３が緩んで電柱２が落下した場合、電柱２に取り付けた電柱玉掛けストッパー１がワイヤロープ３に掛かり、電柱２の落下を止める。このとき、図３に示すように電柱玉掛けストッパー１は取付ボルト６にて電柱２に強固に締結されているため、ワイヤロープ３から受ける力を電柱２に圧着された面全体で受け止めることとなり、取付ボルト６が急激に力を受けたり、せん断方向の力を受けることはほとんどない。またさらに、電柱玉掛けストッパー１が取付ボルト６を中心とする回転力を受けた場合、それぞれの取付基部１０、１１が回転方向に微動して電柱２に咬み込み、電柱玉掛けストッパー１が更に強固に電柱２に固定されることとなる。このため、電柱玉掛けストッパー１に電柱２の重量が作用しても電柱２のネジ穴５が破損することはなく、安定して建柱作業を続行することができる。
【００２６】
また、吊り上げた電柱２を既設架線１３（図６参照）の上を越すように移動させ、既設架線１３間に電柱２を降ろす場合、電柱２の降下に伴って電柱玉掛けストッパー１が既設架線１３に当たる可能性もあるが、図３に示すように電柱玉掛けストッパー１の下端に位置する脚部７には傾斜が形成されているため、既設架線１３を上記傾斜に沿って電柱２の径方向外方に逃がすことができ、電柱玉掛けストッパー１が既設架線１３に引っ掛かるのを防ぐことができる。
【００２７】
また、既設の電柱２を撤去する場合も上述と同様に電柱２に玉掛けをすると共に、電柱玉掛けストッパー１を取り付け、ワイヤロープ３をクレーン車１８等で引き上げることで吊り上げる。このときも、ワイヤロープ３はその締め付け力で電柱２に固定されるため、通常は電柱玉掛けストッパー１がワイヤロープ３から力を受けることはないが、万一電柱２が落下した場合は、上述と同様に電柱玉掛けストッパー１がワイヤロープ３に掛かり、電柱２の落下を止めることができる。また、既設架線１３間で電柱２を引き上げる場合、電柱玉掛けストッパー１の上端に位置する脚部７には傾斜が形成されているため、万一電柱玉掛けストッパー１が既設架線１３に接触しても既設架線１３を上記傾斜に沿って電柱２の径方向外方に逃がすことができ、電柱玉掛けストッパー１が既設架線１３に引っ掛かるのを防ぐことができる。
【００２８】
このように、アーチ状に形成され、電柱２に巻いたワイヤロープ３を跨ぐように電柱２の外周面に両端を当接するアーチ部４と、アーチ部４を電柱２に締結すべく電柱２のネジ穴５に螺合される取付ボルト６とを備えて電柱玉掛けストッパー１を構成したため、万一ワイヤロープ３から電柱２がすり抜けそうになったときでも電柱玉掛けストッパー１がワイヤロープ３に掛かると共に、電柱外周面との摩擦力で電柱２の重量を受けることができるため、電柱２の脱落を防止できると共に電柱２の破損を防止でき、既設架線その他周辺設備に損傷を与えるのを防ぐことができる。
【００２９】
また、アーチ部４の両端に電柱２の外周面に沿って湾曲する取付基部１０、１１を形成したため、電柱２の外周面に広い面積で圧着でき、電柱２に傷をつけることなく安定して固定できる。
【００３０】
一方の取付基部１０に取付ボルト６を回転自在に取り付けるため、取付ボルト６の回転位置に関わりなく電柱２に取付基部１０、１１を所定の姿勢で圧着させることができる。
【００３１】
また、アーチ部４の端部１４に、接触した既設架線１３を逃がすための傾斜を形成したため、電柱玉掛けストッパー１が既設架線１３に引っ掛かるのを防ぐことができる。
【００３２】
アーチ部４を一対連結し、これらアーチ部４間の第１取付基部１０に取付ボルト６を回転自在に取り付けるものとしたため、取付ボルト６を電柱玉掛けストッパー１の中心に位置させることができ、電柱２に取り付けたときのバランスを良好にできる。
【００３３】
アーチ部４間に、既設架線１３の進入を防ぐためのガイド部１５を取付ボルト６を覆うように設けたため、一方のアーチ部４から案内される既設架線１３を他方のアーチ部４に案内することができ、電柱玉掛けストッパー１に接触する既設架線１３を円滑に受け流すことができる。
【００３４】
なお、上述の実施の形態ではワイヤロープ３を用いて玉掛けするものとしたが、ワイヤロープ３に換えて他の索を用いてもよい。
【００３５】
また、アーチ部４を一対連結して構成する電柱玉掛けストッパー１について説明したが、単独のアーチ部４にて構成する電柱玉掛けストッパー（図示せず）であってもよい。
【００３６】
また、電柱玉掛けストッパー１は電柱２の一側に取り付けるものとしたが、玉掛け位置の両側にネジ穴５を有する電柱２にあっては両側に取り付けてもよい。
【図面の簡単な説明】
【００３７】
【図１】本考案の好適実施の形態を示す電柱玉掛けストッパーの正面図である。
【図２】図１のＡ−Ａ線矢視図である。
【図３】電柱玉掛けストッパーの平面断面図である。
【図４】電柱玉掛けストッパーを正面側から視た斜視図である。
【図５】電柱玉掛けストッパーを背面側から視た斜視図である。
【図６】従来の建柱作業の説明図である。
【図７】目通し２本吊りの説明図である。
【符号の説明】
【００３８】
１  ストッパー
２  電柱
３  ワイヤロープ
４  アーチ部
５  ネジ穴
６  取付ボルト
１０  第１取付基部（取付基部）
１１  第２取付基部（取付基部）
１４  端部
１５  ガイド部
【図１】
0003121512.tif 000003
【図２】
0003121512.tif 000004
【図３】
0003121512.tif 000005
【図４】
0003121512.tif 000006
【図５】
0003121512.tif 000007
【図６】
0003121512.tif 000008
【図７】
0003121512.tif 000009